(57)【要約】【課題】対象者の行動履歴を取得して外部機器に送信することが可能な電子機器を提供する。【解決手段】電子機器は、近接通信部（１１４又は３０４）及び撮像部（１０２又は３０２）の少なくとも一方を用いて、物品を認識する認識部（１１８又は３１０）と、近接通信部（１１４又は３０４）及び撮像部（１０２又は３０２）の少なくとも一方を用いて、認識部で認識された物品の収納部への収納情報を取得する取得部（１１８又は３１０）と、収納情報を近接通信部（１１４又は３０４）又は近接通信部とは異なる通信部（１１６又は３０６）を用いて外部機器（５０）に送信する送信部（１１８又は３１０）と、を備える。【選択図】図１
2016118926.tif 000002
【特許請求の範囲】
【請求項１】
近接通信部及び撮像部の少なくとも一方を用いて、物品を認識する認識部と、
前記近接通信部及び前記撮像部の少なくとも一方を用いて、前記認識部で認識された前記物品の収納部への収納情報を取得する取得部と、
前記収納情報を前記近接通信部又は前記近接通信部とは異なる通信部を用いて外部機器に送信する送信部と、を備える電子機器。
【請求項２】
前記近接通信部及び前記撮像部の少なくとも一方は、前記物品の収納を行う収納者に保持されている請求項１記載の電子機器。
【請求項３】
前記撮像部は、前記近接通信部による近接通信の開始に応じて撮影を開始する請求項１または２記載の電子機器。
【請求項４】
第１近接通信部及び第１撮像部の少なくとも一方を用いて、物品を認識する認識部と、
第２近接通信部及び第２撮像部の少なくとも一方を用いて、前記認識部で認識された前記物品の収納部への収納情報を取得する取得部と、
前記収納情報を前記第１近接通信部、又は前記第１近接通信部と前記第２近接通信部とは異なる通信部を用いて外部機器に送信する送信部と、を備える電子機器。
【請求項５】
前記第１近接通信部及び前記第１撮像部の少なくとも一方は、前記物品の収納を行う収納者に保持されている請求項４記載の電子機器。
【請求項６】
前記第１撮像部は、前記第１近接通信部による近接通信の開始に応じて撮影を開始する、及び／又は、前記第２撮像部は、前記第２近接通信部による近接通信の開始に応じて撮影を開始する請求項４または５記載の電子機器。
【請求項７】
前記認識部は、前記物品の所有者の情報を認識する請求項１から６のいずれか一項記載の電子機器。
【請求項８】
前記送信部は、前記認識部で認識された前記物品の前記収納情報と前記物品の画像データとを前記外部機器に送信する請求項１から７のいずれか一項記載の電子機器。
【請求項９】
位置情報を検出する位置検出部と、
物品と近接通信を行う近接通信部と、
前記物品と前記近接通信部との間の近接通信の成立に応じて前記物品を撮像する撮像部と、
前記撮像部が撮像した前記物品の画像データと前記位置検出部が検出した位置情報とを、前記近接通信部又は前記近接通信部とは異なる通信部を用いて外部機器に送信する送信部と、を備える電子機器。
【請求項１０】
前記位置検出部は、前記物品と前記近接通信部との間の近接通信の成立に応じて位置情報を検出する請求項９記載の電子機器。
【請求項１１】
前記近接通信部は、前記物品に関する情報を受信する請求項９または１０記載の電子機器。
【請求項１２】
前記送信部は、前記物品に関する情報を、前記近接通信部又は前記近接通信部とは異なる通信部を用いて前記外部機器に送信する請求項１１記載の電子機器。
【発明の詳細な説明】
【技術分野】
【０００１】
本発明は、電子機器に関する。
【背景技術】
【０００２】
人体通信を用い、位置に関する行動履歴を容易かつ正確にユーザに報知することを可能にするシステムが提案されている（例えば、特許文献１参照）。
【先行技術文献】
【特許文献】
【０００３】
【特許文献１】特開２０１０−３９７８９号公報
【発明の概要】
【発明が解決しようとする課題】
【０００４】
従来の方法では、物体の位置情報を取得するためには、対象者が物体側人体通信部に触れる必要があり、使い勝手が十分でなかった。
【０００５】
本発明は上記課題に鑑みなされたものであり、簡易に、物品の位置情報を外部機器に送信することが可能な電子機器を提供するものである。
【課題を解決するための手段】
【０００６】
本発明の電子機器は、近接通信部（１１４又は３０４）及び撮像部（１０２又は３０２）の少なくとも一方を用いて、物品を認識する認識部（１１８又は３１０）と、前記近接通信部及び前記撮像部の少なくとも一方を用いて、前記認識部で認識された前記物品の収納部への収納情報を取得する取得部（１１８又は３１０）と、前記収納情報を前記近接通信部又は前記近接通信部とは異なる通信部（１１６又は３０６）を用いて外部機器に送信する送信部（１１８又は３１０）と、を備える。
【０００７】
この場合において、本発明の電子機器では、前記近接通信部及び前記撮像部の少なくとも一方は、前記物品の収納を行う収納者に保持されていてもよい。
【０００８】
また、本発明の電子機器では、前記撮像部は、前記近接通信部による近接通信の開始に応じて撮影を開始してもよい。
【０００９】
本発明の電子機器は、第１近接通信部（１１４）及び第１撮像部（１０２）の少なくとも一方を用いて、物品を認識する認識部（１１８）と、第２近接通信部（３０４）及び第２撮像部（３０２）の少なくとも一方を用いて、前記認識部で認識された前記物品の収納部への収納情報を取得する取得部（１１８）と、前記収納情報を前記第１近接通信部、又は前記第１近接通信部と前記第２近接通信部とは異なる通信部（１１６）を用いて外部機器に送信する送信部（１１８）と、を備える。
【００１０】
この場合において、本発明の電子機器では、前記第１近接通信部及び前記第１撮像部の少なくとも一方は、前記物品の収納を行う収納者に保持されていてもよい。
【００１１】
また、本発明の電子機器では、前記第１撮像部は、前記第１近接通信部による近接通信の開始に応じて撮影を開始する、及び／又は、前記第２撮像部は、前記第２近接通信部による近接通信の開始に応じて撮影を開始してもよい。
【００１２】
また、本発明の電子機器では、前記認識部は、前記物品の所有者の情報を認識してもよい。
【００１３】
また、本発明の電子機器では、前記送信部は、前記認識部で認識された前記物品の前記収納情報と前記物品の画像データとを前記外部機器に送信してもよい。
【００１４】
本発明の電子機器は、位置情報を検出する位置検出部（１２０）と、物品と近接通信を行う近接通信部（１１４）と、前記物品と前記近接通信部との間の近接通信の成立に応じて前記物品を撮像する撮像部（１０２）と、前記撮像部が撮像した前記物品の画像データと前記位置検出部が検出した位置情報とを、前記近接通信部又は前記近接通信部とは異なる通信部（１１６）を用いて外部機器に送信する送信部（１１８）と、を備える。
【００１５】
この場合において、本発明の電子機器では、前記位置検出部は、前記物品と前記近接通信部との間の近接通信の成立に応じて位置情報を検出してもよい。
【００１６】
また、本発明の電子機器では、前記近接通信部は、前記物品に関する情報を受信してもよい。
【００１７】
また、本発明の電子機器では、前記送信部は、前記物品に関する情報を、前記近接通信部又は前記近接通信部とは異なる通信部を用いて前記外部機器に送信してもよい。
【図面の簡単な説明】
【００１８】
【図１】第１の実施形態に係る電子機器システムの構成を示すブロック図である。
【図２】第１装着装置の斜視図である。
【図３】図３（ａ）は、収納庫用機器を備える収納庫の一例であるタンスを示す図であり、図３（ｂ）は、タンスが有する引き出しの１つを拡大して示す斜視図である。
【図４】図４（ａ）及び図４（ｂ）には、衣類ＤＢのデータ構造の一例を示す図である。
【図５】収納庫用機器の制御部が実行する処理の一例を示すフローチャート（その１）である。
【図６】収納庫用機器の制御部が実行する処理の一例を示すフローチャート（その２）である。
【図７】第１装着装置の制御部が実行する処理の一例を示すフローチャートである。
【図８】収納ＤＢのデータ構造の一例を示す図である。
【図９】第２装着装置の制御部が実行する処理の一例を示すフローチャートである。
【図１０】衣類ＤＢのデータ構造の一例を示す図である。
【図１１】第２の実施形態に係る電子機器システムの構成を示すブロック図である。
【図１２】第１装着装置の制御部が実行する処理の一例を示すフローチャートである。
【図１３】収納庫用機器の制御部が実行する処理の一例を示すフローチャートである。
【図１４】第３の実施形態に係る電子機器システムの構成を示すブロック図である。
【図１５】図１５（ａ）及び図１５（ｂ）は、商品ＤＢのデータ構造の一例を示す図である。
【図１６】第１装着装置の制御部が実行する処理の一例を示すフローチャート（その１）である。
【図１７】第１装着装置の制御部が実行する処理の一例を示すフローチャート（その２）である。
【図１８】購入ＤＢのデータ構造の一例を示す図である。
【図１９】第２装着装置の制御部が実行する処理の一例を示すフローチャートである。
【発明を実施するための形態】
【００１９】
《第１の実施形態》
以下、第１の実施形態に係る電子機器システムについて、図１〜図９に基づいて、詳細に説明する。図１には、第１の実施形態に係る電子機器システム１０００の構成がブロック図にて示されている。
【００２０】
電子機器システム１０００は、図１に示すように、第１装着装置１０と、第２装着装置２０と、収納庫用機器３０と、物品用機器４０と、情報処理装置５０と、を備える。本実施形態の電子機器システム１０００は、第１装着装置１０を装着するユーザ（例えばお婆さん）が行う家事に関する履歴を取得して情報処理装置５０に送信することで、ユーザ（例えばお婆さん）が旅行に行ったり、入院してしまった場合であっても第２装着装置２０を装着するユーザ（例えばお爺さん）がお婆さんの行動履歴を利用して生活することが可能なシステムである。
【００２１】
（第１装着装置１０）
第１装着装置１０は、ユーザ（家事を行うお婆さん）が身体（顔）に装着する眼鏡型の端末である。第１装着装置１０は、図１に示すように、撮像部１０２、表示部１０４、操作部１０６、マイク１０８、スピーカー１１０、記憶部１１２、第１通信部１１４、第２通信部１１６、及び制御部１１８を備える。図２には、第１装着装置１０が斜視図にて示されている。図２に示すように、第１装着装置１０は、眼鏡型のフレーム１３０を備える。なお、図１において図示され、図２において図示されていない第１装着装置１０の構成は、フレーム１３０の内部や、フレーム１３０の一部に設けられているものとする。
【００２２】
撮像部１０２は、レンズ、撮像素子、画像処理部などを備え、静止画や動画などの画像を撮影するものである。撮像部１０２は、図２に示すように、フレーム１３０の端部近傍（例えばユーザの右目近傍）に設けられている。このため、ユーザが第１装着装置１０を装着した状態では、ユーザが向いている（見ている）方向の画像を撮影することができる。
【００２３】
表示部１０４は、フレーム１３０の内部又はフレーム１３０の近傍に設けられたプロジェクタと、プロジェクタからの投影像をユーザの目に導くためのプリズムと、を有する。表示部１０４は、制御部１１８の指示の下、各種情報を表示する。第１装着装置１０を装着したユーザは、表示部１０４が投影した情報を視認できると共に、外界像をシースルーで視認できるようになっている。なお、図２に示す表示部１０４は一例であって、大きさやデザインは適宜変更することができる。
【００２４】
操作部１０６は、フレーム１３０に設けられたタッチパッドであり、ユーザの指の動きを検知して、ユーザからの操作を受け付け、受け付けた操作情報を制御部１１８に送信する。即ち、本実施形態において、操作部１０６は、接触式の操作部である。なお、操作部１０６を省いた構成としてもよい。
【００２５】
なお、撮像部１０２、表示部１０４、及び操作部１０６については、例えば米国公開特許２０１３／００４４０４２号にもその詳細が開示されている。
【００２６】
マイク１０８は、フレーム１３０に設けられ、第１装着装置１０を装着するユーザが発声した音声などを収集する。マイク１０８が収集した音声は、不図示の音声認識部により音声認識され、音声認識の結果は、制御部１１８に送信される。制御部１１８は、音声認識に基づく処理（例えばコマンドの実行処理など）を実行する。なお、制御部１１８が音声認識を行ってもよい。
【００２７】
スピーカー１１０は、フレーム１３０に設けられ、制御部１１８の指示の下、音声を出力する。スピーカー１１０としては、イヤホンやヘッドホンのほか、指向性があって、主に第１装着装置１０を装着したユーザの耳に向けて音声を提供することが可能なスピーカーなどを採用することができる。
【００２８】
記憶部１１２は、例えばフラッシュメモリなどの不揮発性の半導体メモリであり、撮像部１０２などが撮影した画像データや、表示部１０４やスピーカー１１０に出力する出力データ、マイク１０８が収集した音声データ、第１通信部１１４及び第２通信部１１６で受信したデータなどを記憶する。なお、記憶部１１２は、第１装着装置１０を装着するユーザの識別情報（属性情報）を記憶していてもよい。この場合、ユーザはマイク１０８を用いて音声により識別情報を記憶部１１２に記憶させてもよく、表示部１０４に性別や、年代などの識別情報を表示して操作部１０６の操作によりユーザに選択させたり、不図示の視線検出装置によりユーザの視線を検出して識別情報を選択させたりするようにしてもよい。記憶部１１２に記憶された識別情報は、第１装着装置１０の製造番号などの固有の番号やＩＤと関連づけて記憶される。このユーザの識別情報は、制御部１１８の制御により実行される。
【００２９】
第１通信部１１４は、他の機器（例えば収納庫用機器３０）と近接通信（例えばＮＦＣ（Near Field Communication）、ＴｒａｎｓｆｅｒＪｅｔ（登録商標）、ＲＦＩＤ（Radio Frequency Identification）などを用いた通信）を行う。
【００３０】
第２通信部１１６は、他の機器（例えば収納庫用機器３０）と無線通信（例えば携帯電話回線、Ｂｌｕｅｔｏｏｔｈ（登録商標）、Ｗｉ−Ｆｉ（登録商標）などを用いた通信）を行う。第２通信部１１６の通信距離は、第１通信部１１４よりも長い。
【００３１】
制御部１１８は、ＣＰＵ（Central Processing Unit）、ＲＡＭ（Random Access Memory）、ＲＯＭ（Read Only Memory）などを備える。制御部１１８では、ＣＰＵがＲＯＭ等に格納されているプログラムを実行することにより、第１装着装置１０全体を制御する。制御部１１８が実行する処理の詳細については後述する。
【００３２】
（第２装着装置２０）
第２装着装置２０は、第１装着装置１０を装着するユーザ（お婆さん）とは異なるユーザ（お爺さん）が身体（顔）に装着する眼鏡側の端末である。第２装着装置２０は、図１に示すように、撮像部２０２と、表示部２０４と、操作部２０６と、マイク２０８と、スピーカー２１０と、記憶部２１２と、第１通信部２１４と、第２通信部２１６と、制御部２１８と、を備える。第２装着装置２０は、図２と同等の外観形状を有しており、撮像部２０２、表示部２０４、操作部２０６、マイク２０８、スピーカー２１０、記憶部２１２、第１通信部２１４、第２通信部２１６、及び制御部２１８は、第１装着装置１０の撮像部１０２、表示部１０４、操作部１０６、マイク１０８、スピーカー１１０、記憶部１１２、第１通信部１１４、第２通信部１１６、及び制御部１１８と同一又は同等の機能を有する。なお、本実施形態では、第２通信部２１６は、情報処理装置５０と無線通信を行うものとする。
【００３３】
（収納庫用機器３０）
収納庫用機器３０は、物品を収納する収納庫に外付けされた、又は収納庫に内蔵された機器である。本実施形態では、収納される物品が衣類で、収納庫がタンスである場合を例に説明する。収納庫用機器３０は、図１に示すように、撮像部３０２と、第１通信部３０４と、第２通信部３０６と、記憶部３０８と、制御部３１０と、を備える。
【００３４】
図３（ａ）は、収納庫用機器３０を備える収納庫の一例であるタンス３２０を示す図であり、図３（ｂ）は、タンス３２０が有する引き出し３２４の１つを拡大して示す斜視図である。図３（ａ）に示すように、タンス３２０は、本体部３２２に設けられた複数の空洞部それぞれに嵌め込まれる複数の引き出し３２４を備える。引き出し３２４には衣類を収納するための空間が形成されており、当該空間の底部には、図３（ｂ）に示すように、収納庫用機器３０の第１通信部３０４が設けられている。なお、図１において図示され、図３（ａ）及び図３（ｂ）において図示されていない収納庫用機器３０の構成は、本体部３２２や引き出し３２４の一部に設けられているものとする。
【００３５】
撮像部３０２は、レンズ、撮像素子、画像処理部などを備え、静止画や動画などの画像を撮影するものである。撮像部３０２は、１つのタンス３２０に対して１つ設けられていてもよいし、複数の引き出し３２４それぞれに対して１つずつ設けられていてもよい。撮像部３０２がタンス３２０に対して１つ設けられている場合は、例えば撮像部３０２はタンス３２０の前方が撮影できるように配置されている。撮像部３０２が複数の引き出し３２４それぞれに設けられている場合は、例えば撮像部３０２は引き出し３２４の中が撮影できるように配置されている。なお、撮影部３０２をタンス３２０とは分離して、上述の撮影が可能な位置（例えば、天井や照明器具）に設けるようにしてもよい。
【００３６】
第１通信部３０４は、他の機器（例えば第１装着装置１０、物品用機器４０）と近接通信（例えばＮＦＣ、ＴｒａｎｓｆｅｒＪｅｔ（登録商標）、ＲＦＩＤなどを用いた通信）を行う。第１通信部３０４は、図３（ｂ）に示すように、例えば複数の引き出し３２４それぞれの底部に設けられている。
【００３７】
第２通信部３０６は、他の機器（例えば第１装着装置１０、情報処理装置５０）と無線通信（例えば携帯電話回線、Ｂｌｕｅｔｏｏｔｈ（登録商標）、Ｗｉ−Ｆｉ（登録商標）などを用いた通信）を行う。第２通信部３０６の通信距離は、第１通信部３０４よりも長い。
【００３８】
記憶部３０８は、例えばフラッシュメモリなどの不揮発性の半導体メモリであり、撮像部３０２などが撮影した画像データや、タンスを識別するための識別情報、第１通信部３０４及び第２通信部３０６で受信したデータ（例えば衣類情報）、衣類の収納位置情報などを記憶する。
【００３９】
制御部３１０は、ＣＰＵ、ＲＡＭ、ＲＯＭなどを備え、プログラムを実行することにより、収納庫用機器３０全体を制御する。制御部３１０が実行する処理の詳細については後述する。
【００４０】
なお、収納庫用機器３０を備える収納庫は、タンスの場合に限られず、例えば食器棚や冷蔵庫など、物品を収納する収納庫であれば他の収納庫の場合でもよい。また、収納される物品は、衣類の他にも、例えば通帳や、保険証書、はんこなどであってもよいし、収納庫が食器棚の場合は食品や食器などであってもよいし、収納庫が冷蔵庫の場合は食品などであってもよい。
【００４１】
（物品用機器４０）
物品用機器４０は、物品（衣類）に取り付けられる機器（ＩＣタグ）である。物品用機器４０は、図１に示すように、近接通信部４０２と、記憶部４０４と、制御部４０６と、を備える。なお、物品用機器４０が取り付けられる物品は、衣類のほかにも、例えば食品や食器などの収納庫に収納される物品であってもよい。
【００４２】
近接通信部４０２は、他の機器（例えば収納庫用機器３０）と近接通信（例えばＮＦＣ、ＴｒａｎｓｆｅｒＪｅｔ（登録商標）、ＲＦＩＤなどを用いた通信）を行う。近接通信部４０２の通信距離は、第１装着装置１０及び第２装着装置２０で近接通信を行う第１通信部１１４、２１４よりも短い。
【００４３】
記憶部４０４は、物品用機器４０に内蔵された不揮発性の半導体メモリや、物品用機器４０に着脱可能なＳＤカードなどである。記憶部４０４は、物品用機器４０が取り付けられた衣類に関する情報を記憶する。ここで、図４（ａ）及び図４（ｂ）に基づいて、記憶部４０４に記憶された情報（衣類ＤＢ４２）の一例について説明する。
【００４４】
図４（ａ）及び図４（ｂ）には、衣類ＤＢ４２のデータ構造の一例が示されている。図４（ａ）及び図４（ｂ）に示すように、衣類ＤＢ４２は、種別、対象、サイズ、色、及びデザインなどのフィールドを有している。種別のフィールドには、衣類の種別（くつ下、ポロシャツなど）が格納される。対象のフィールドには、どのような人向け（男性用、女性用など）の衣類であるかの情報が格納される。サイズのフィールドには、衣類のサイズ（Ｓ、Ｍや、号数、ｃｍなど）に関する情報が格納される。色のフィールドには、衣類の色（黒、紺、白など）の情報が格納される。デザインのフィールドには、衣類のデザイン（ワンポイント、縞模様など）の情報が格納される。なお、衣類ＤＢ４２の各データは、物品の販売前に衣類を販売する店員が入力してもよいし、衣類の製造元において入力してもよい。また、物品を購入した購入者がパーソナルコンピュータ（ＰＣ）などを用いて、衣類ＤＢ４２の各データを入力するようにしてもよい。
【００４５】
なお、物品用機器４０が取り付けられた物品が食品（例えば缶詰やレトルト食品）であれば、記憶部４０４には、商品名、原材料、原産国又は製造元、輸入元などの商品に関する情報が記憶されてもよい。
【００４６】
制御部４０６は、ＣＰＵなどを備え、物品用機器４０全体を制御する。制御部４０６は、例えば収納庫用機器３０の第１通信部３０４からの起電力によって動作する。
【００４７】
（情報処理装置５０）
情報処理装置５０は、例えば住居内に設置されたホームサーバである。情報処理装置５０は、図１に示すように、通信部５０２と、記憶部５０４と、制御部５０６と、を備える。
【００４８】
通信部５０２は、他の機器（例えば第２装着装置２０、収納庫用機器３０）と無線通信（例えば携帯電話回線、Ｂｌｕｅｔｏｏｔｈ（登録商標）、Ｗｉ−Ｆｉ（登録商標）などを用いた通信）を行う。
【００４９】
記憶部５０４は、例えばフラッシュメモリ等の不揮発性の半導体メモリや、ハードディスクドライブなどである。記憶部５０４は、収納庫（タンス）に収納された物品（衣類）の衣類情報や収納位置情報などを記憶する。
【００５０】
制御部５０６は、ＣＰＵ、ＲＡＭ、ＲＯＭなどを備え、情報処理装置５０全体を制御する。
【００５１】
（情報収集処理）
次に、第１装着装置１０と収納庫用機器３０と物品用機器４０とが連携して実行する情報収集処理について説明する。図５及び図６は、収納庫用機器３０の制御部３１０が実行する処理の一例を示すフローチャートであり、図７は、第１装着装置１０の制御部１１８が実行する処理の一例を示すフローチャートである。なお、本処理は、第１装着装置１０を装着するユーザ（お婆さん）が衣類（洗濯物など）をタンスに収納した場合に、収納庫用機器３０が衣類の収納位置の情報を取得して、情報処理装置５０に送信する処理である。
【００５２】
図５の処理では、まず、ステップＳ１０において、収納庫用機器３０の制御部３１０は、第１装着装置１０を装着するユーザ（お婆さん）がタンスに近づくことで、第１装着装置１０との近接通信が成立するまで待機する。制御部３１０は、第１装着装置１０との近接通信が成立した段階でステップＳ１２に移行する。制御部３１０は、近接通信を成立させる際に通信相手となる機器のＩＤや識別番号を取得する。本フローチャートにおいて、制御部３１０は第１装着装置１０のＩＤを取得するものとする。このときに、制御部３１０はユーザの識別情報を取得してもいい。なお、収納庫用機器３０の第１通信部３０４と第１装着装置１０の第１通信部１１４との近接通信の成立をトリガーとして、収納庫用機器３０の第２通信部３０６と第１装着装置１０の第２通信部１１６との無線通信が開始される。また、この段階では、第１装着装置１０を装着するユーザ（お婆さん）が物品用機器４０を備える衣類を保持していても、物品用機器４０の近接通信部４０２の通信距離は第１装着装置１０の近接通信を行う第１通信部１１４よりも短いため、収納庫用機器３０と物品用機器４０との近接通信は成立していないものとする。
【００５３】
ステップＳ１２に移行すると、制御部３１０は、ステップＳ１０の近接通信の成立から所定時間（タイムアウトを示す時間であり、例えば１０秒）が経過したか否かを判断する。このステップＳ１２の判断が否定された場合には、ステップＳ１４に移行し、制御部３１０は、物品用機器４０との近接通信が成立したか否かを判断する。図３（ｂ）に示したように、収納庫用機器３０の近接通信を行う第１通信部３０４は、引き出し３２４の底部に設けられている。このため、第１装着装置１０を装着するユーザ（お婆さん）が衣類を引き出しに収納することで、物品用機器４０の近接通信部４０２と収納庫用機器３０の第１通信部３０４とが近づいて近接通信が成立するようになる。
【００５４】
物品用機器４０との近接通信が成立していない場合には、ステップＳ１４の判断は否定されて、ステップＳ１２に戻り、所定時間が経過するまで、制御部３１０は、ステップＳ１２、Ｓ１４を繰り返す。一方、所定時間が経過した場合には、ステップＳ１２の判断は肯定されるので、制御部３１０は、図５、図６の全処理を終了する。本実施形態においては、ステップＳ１２、Ｓ１４の判断を行うことで、第１装着装置１０を装着するユーザ（お婆さん）が衣類を収納する目的以外でタンスに近づいた場合に、図５、図６の処理を終了できるようになっている。
【００５５】
一方、所定の時間内に物品用機器４０との近接通信が成立すると、ステップＳ１４の判断は肯定されて、ステップＳ１６に移行する。ステップＳ１６に移行すると、制御部３１０は、物品用機器４０に対して、衣類に関する情報を送信するよう要求する。具体的には、制御部３１０は、物品用機器４０の制御部４０６に、記憶部４０４に記憶されている衣類ＤＢ４２の情報を送信するよう要求する。これに対し、制御部４０６は、要求を受信した段階で、近接通信部４０２を用いて衣類ＤＢ４２の情報を収納庫用機器３０（制御部３１０）に送信する。
【００５６】
一方、制御部３１０は、ステップＳ１６の後、ステップＳ１８において、物品用機器４０から衣類ＤＢ４２の情報を受信するまで待機しているので、物品用機器４０から衣類ＤＢ４２の情報を受信した段階で、ステップＳ２０に移行する。なお、制御部３１０は、ステップＳ１６の処理から所定時間（タイムアウトを示す時間であり、例えば３秒）が経過するまでに衣類ＤＢ４２の情報を受信できない場合には、不図示のスピーカーなどを用いて、受信できない旨をユーザに報知するようにしてもよい。また、収納庫用機器３０に計時部を設けて、物品用機器４０から衣類ＤＢ４２の情報を受信した時刻を記憶部３０８に記憶するようにしてもよい。
【００５７】
ステップＳ２０に移行すると、制御部３１０は、第１装着装置１０に対して、撮像部１０２で撮影された画像データを送信するよう要求する。この場合、制御部３１０は、物品用機器４０から衣類ＤＢ４２の情報を受信したタイミングにおいて撮像部１０２で撮影された画像データを送信するよう要求する。このようなタイミングで撮影された画像データは、引き出しに収納された衣類を撮影した画像データである可能性が高いためである。なお、制御部３１０は、画像データの送信要求の際に、計時部で計時された時刻の情報を第１装着装置１０に送信してもよい。ステップＳ２０の後は、図６のステップＳ２２に移行し、制御部３１０は、画像データを受信するまで待機する。
【００５８】
なお、第１装着装置１０の制御部１１８は、収納庫用機器３０の制御部３１０において図５、図６の処理が行われている間に、図７の処理を繰り返し実行している。すなわち、制御部１１８は、図７に示すように、収納庫用機器３０との近接通信が成立するまで待機し（Ｓ４０）、近接通信が成立した段階（Ｓ４０：肯定）で撮像部１０２による撮像を開始する（Ｓ４２）。そして、制御部１１８は、収納庫用機器３０から撮影した画像データの送信要求を受信するまで待機する（Ｓ４４）。この場合、収納庫用機器３０の制御部３１０において図５のステップＳ２０の処理が行われると（Ｓ４４：肯定）、制御部１１８は、撮像部１０２で撮影された画像データの中から衣類ＤＢ４２の情報を受信したタイミングで撮影された画像データを抽出し、第２通信部１１６を介して収納庫用機器３０に送信する（Ｓ４６）。なお、制御部１１８は、画像データの抽出にあたって、収納庫用機器３０から受信した時刻の情報を利用してもよい。なお、収納庫用機器３０の制御部３１０は、タイミングを指定せずに、第１装着装置１０に画像データを送信するよう要求してもよい。この場合、第１装着装置１０の制御部１１８が、ステップＳ４２以降に撮影された全画像データを制御部３１０に送信し、制御部３１０が、上記タイミングで撮影された画像データを抽出するようにしてもよい。
【００５９】
図６に戻り、制御部３１０は、第１装着装置１０から画像データを受信すると、ステップＳ２４に移行する。なお、制御部３１０は、ステップＳ２２に移行した後、所定時間（タイムアウトを示す時間であり、例えば３秒）が経過するまでに、画像データを受信できない場合には、不図示のスピーカーなどを用いて、受信できない旨をユーザに報知するようにしてもよい。
【００６０】
ステップＳ２４に移行すると、制御部３１０は、ステップＳ１８で衣類情報を受信した衣類がタンスのどの引き出しに収納されたかを示す収納位置情報を取得する。この場合、制御部３１０は、複数の引き出し３２４それぞれに設けられた第１通信部３０４のうち、物品用機器４０と近接通信が成立した第１通信部３０４を特定することで、どの引き出し３２４に衣類が収納されたかを特定する。
【００６１】
次いで、ステップＳ２６では、制御部３１０は、受信した衣類の衣類情報（Ｓ１８）と衣類の収納位置情報（Ｓ２４）とに、当該衣類の画像データ（Ｓ２２）を関連付けて記憶部３０８に記憶する。この場合、制御部３１０は、第１装着装置１０のＩＤに加えて第１装着装置１０のユーザの識別情報を記憶するようにしてもよい。これにより、制御部３１０は誰が何をどこに収納したかを判別することが可能となる。例えば、衣服をお爺さんが収納する場合にいつもお婆さんが収納する引き出し３２４とは異なる引き出しに収納した場合に、制御部３１０はお爺さんの装着している第２装着装置２０に報知（例えば、お婆さんが収納する引出し）をすることができる。
【００６２】
図８には、記憶部３０８に記憶される情報（収納ＤＢ４４）のデータ構造の一例が示されている。図８に示すように、収納ＤＢ４４は、衣類情報、収納位置情報、及び画像データなどのフィールドを有している。衣類情報のフィールドの中には、種別、対象、サイズ、色、及びデザインなどのフィールドが含まれる。種別、対象、サイズ、色、及びデザインのフィールドには、物品用機器４０から受信した情報が格納される。収納位置情報のフィールドの中には、収納庫情報と詳細情報などのフィールドが含まれる。収納庫情報のフィールドには、衣類が収納されたタンスの情報（例えばタンス名など）が格納される。詳細情報のフィールドには、当該タンスのどこに衣類が収納されたかの詳細な位置情報（例えば最上段の引き出しなど）が格納される。画像データのフィールドには、衣類の画像データが格納される。
【００６３】
図６に戻り、次のステップＳ２８では、制御部３１０は、第１装着装置１０との近接通信が成立し続けているか否かを判断する。第１装着装置１０との近接通信が成立し続けている場合は、別の衣類を収納する可能性があるため、ステップＳ３０に移行し、制御部３１０は、物品用機器４０との近接通信が成立したか否かを判断する。物品用機器４０との近接通信が成立した場合は、ステップＳ３０の判断は肯定され、制御部３１０は、ステップＳ１６に戻る。一方、物品用機器４０との近接通信が成立していない場合には、ステップＳ３０の判断は否定されるので、制御部３１０はステップＳ２８に戻る。
【００６４】
一方、第１装着装置１０との近接通信が成立しなくなった場合（Ｓ２８：否定）には、ユーザによる衣類の収納が終了したため、ステップＳ３２に移行する。ステップＳ３２に移行すると、制御部３１０は、収納ＤＢ４４の情報（衣類情報、収納位置情報、画像データ）を、第２通信部３０６を介して情報処理装置５０に送信する。
【００６５】
ここで、情報処理装置５０の制御部５０６は、収納庫用機器３０から受信した収納ＤＢ４４の情報を記憶部５０４に蓄積する。これにより、どの衣類がどこのタンスのどの引き出しに収納されているかの情報が記憶部５０４に記憶される。なお、制御部５０６は、既に記憶部５０４に記憶されている衣類と同一の衣類がタンス内に収納されたという情報を収納庫用機器３０から受信する場合もある。すなわち、制御部５０６は、記憶部５０４に記憶されているある衣類（例えば、くつ下）と衣類情報及び画像データが類似する衣類（例えば、くつ下）が同一の位置又は別の位置に再度収納されたという情報を受信する場合がある。このような場合には、制御部５０６は、記憶部５０４に記憶されている情報を新たに受信した情報で更新するようにする。これにより、タンスに収納された衣類が取り出され、着用され、洗濯等された後にタンスに再度収納される場合であっても、記憶部５０４には、最新の収納位置に関する情報のみが記憶されるようになっている。なお、タンスから取り出した後に衣類を廃棄するような場合には、ユーザが、別途、廃棄情報を情報処理装置５０に入力するようにすればよい。これにより、廃棄した衣類の情報を記憶部５０４から消去することができる。
【００６６】
（情報利用処理）
次に、第２装着装置２０と情報処理装置５０とが連携して実行する情報利用処理について説明する。図９は、第２装着装置２０の制御部２１８が実行する処理の一例を示すフローチャートである。なお、本処理は、第２装着装置２０を装着するユーザ（お爺さん）が衣類を探している場合に、ユーザ（お爺さん）に対して衣類の収納位置の情報を報知するための処理である。
【００６７】
図９の処理では、まず、ステップＳ５０において、第２装着装置２０の制御部２１８は、ユーザ（お爺さん）から、ユーザが探している衣類に関する情報を取得するまで待機している。マイク２０８にユーザの“男物の黒い靴下はどこだ？”という音声が入力された場合や、操作部２０６から“紺と白のストライプ柄のポロシャツ”という情報が入力された場合に、制御部２１８は、探している衣類に関する情報として“黒い靴下”や“紺と白のストライプ柄のポロシャツ”を取得し、ステップＳ５２に移行する。なお、制御部２１８は、情報処理装置５０の記憶部５０４から、格納されている画像データを取得して表示部２０４に表示するとともに、ユーザが選択した画像データに基づいて、探している衣類に関する情報を取得するようにしてもよい。
【００６８】
ステップＳ５２では、制御部２１８は、ユーザが探している衣類に関する情報を、第２通信部２１６を介して、情報処理装置５０の制御部５０６に送信し、当該情報に対応する収納位置情報の送信を要求する。これに対し、制御部５０６は、ユーザが探している衣類がどこに収納されているかの情報（収納位置情報）を第２装着装置２０の制御部２１８に送信する。
【００６９】
制御部２１８は、ステップＳ５２の後、ステップＳ５４において、情報処理装置５０から収納位置情報を受信するまで待機しているので、情報処理装置５０から収納位置情報を受信した段階で、ステップＳ５６に移行する。
【００７０】
ステップＳ５６では、制御部２１８は、表示部２０４やスピーカー２１０を用いて収納位置情報を報知する。これにより、ユーザ（お爺さん）は、探している衣類を簡易に探し出すことが可能となる。
【００７１】
なお、情報処理装置５０の制御部５０６は、複数の収納位置情報の候補が存在する場合には、全ての候補を制御部２１８に送信するようにしてもよいし、ユーザの情報等に基づいて、候補を絞って送信するようにしてもよい。例えば、ユーザがお爺さんであることが認識できている場合には、お爺さん個人の寸法情報（足のサイズや、服のサイズ）や、お爺さんの性別情報等に基づいて、収納位置情報の候補を絞るようにすればよい。
【００７２】
なお、情報処理装置５０の制御部５０６は、収納位置情報を送信した場合に、当該収納位置情報を収納ＤＢ４４から削除してもよい。これにより、タンス内から取り出された（取り出された可能性の高い）衣類の情報を収納ＤＢ４４から削除することが可能となる。
【００７３】
以上詳細に説明したように、本第１の実施形態によれば、収納庫用機器３０の制御部３１０は、近接通信を行う第１通信部３０４を用いて衣類の衣類情報を取得する（Ｓ１８）ことで衣類を認識し、当該衣類がタンスのどの引き出しに収納されたかの収納位置情報を第１通信部３０４を用いて取得する（Ｓ２４）。そして、制御部３１０は、収納位置情報を第２通信部３０６を用いて情報処理装置５０に送信する（Ｓ３２）。これにより、ユーザ（お婆さん）が特別な操作を行わなくても、制御部３１０は、ユーザ（お婆さん）による衣類の収納位置情報を、情報処理装置５０に送信することができる。したがって、情報処理装置５０では、衣類の収納位置情報を簡易に収集することが可能となる。
【００７４】
また、本第１の実施形態では、収納庫用機器３０の制御部３１０は、対象（男性用、女性用）やサイズなどの衣類の情報を取得することで衣類の認識をしている。これにより、衣類の詳細な情報が得られるため、第２装着装置２０を装着するユーザ（お爺さん）に対して、探している衣類の特定をサポートすることができる。
【００７５】
また、本第１の実施形態では、収納庫用機器３０の制御部３１０は、衣類情報、収納位置情報、及び画像データを情報処理装置５０に送信する。これにより、ユーザ（お爺さん）が探している衣類に関する詳細な情報を提供することができる。
【００７６】
なお、上記第１の実施形態では、収納庫用機器３０の制御部３１０は、ステップＳ１８において、第１通信部３０４を介して取得した衣類情報を用いて衣類の認識を行う場合について説明したが、これに限られるものではない。例えば、制御部３１０は、撮像部３０２や第１装着装置１０の撮像部１０２により撮影された画像データに基づいて、衣類を認識することとしてもよい。なお、撮像部３０２、１０２を用いて衣類の認識を行う場合は、図１０に示すような、衣類の画像データと衣類の情報（種別、対象、サイズ、色、デザインなど）とを関連付けた衣類ＤＢ４６を記憶部３０８に予め記憶しておく。そして、制御部３１０は、衣類の収納時に撮像部３０２、１０２で撮影された画像データを記憶部３０８に記憶された画像データと比較することで、衣類を認識するようにしてもよい。また、制御部３１０は、第１装着装置１０の第１通信部１１４を用いて衣類の認識を行ってもよい。第１通信部１１４を用いて衣類の認識を行う場合は、制御部３１０は、第１通信部１１４が物品用機器４０と近接通信することで受信した衣類情報を取得するようにすればよい。
【００７７】
なお、上記第１の実施形態では、制御部３１０は、第１通信部３０４を介して衣類の収納位置情報を取得する場合について説明したが、これに限られるものではない。例えば、制御部３１０は、撮像部３０２や撮像部１０２により撮影されタ画像データを用いて収納位置情報を取得することとしてもよい。この場合、撮像部によって撮影された画像を解析することで、どのタンスのどの引き出しに衣類が収納されたかを特定すればよい。
【００７８】
なお、上記第１の実施形態では、収納庫用機器３０の制御部３１０は、収納ＤＢ４４の情報を情報処理装置５０に対して送信する場合について説明したが、これに限られるものではない。例えば、収納ＤＢ４４の情報を第１装着装置１０や第２装着装置２０に送信するようにしてもよい。また、制御部３１０は、介護士の携帯端末や介護ロボットに情報を送信するようにしてもよい。また、制御部３１０は、第２通信部３０６を介して情報を送信する場合に限らず、第１通信部３０４を介して情報を送信してもよい。
【００７９】
なお、上記第１の実施形態において、第１装着装置１０の制御部１１８は、収納庫用機器３０との近接通信が成立した段階で撮像部１０２による撮影を開始する場合に限らず、収納庫用機器３０から撮影要求を受信した場合に撮像部１０２による撮影を開始してもよい。この場合、収納庫用機器３０の制御部３１０は、物品用機器４０から衣類情報を受信したタイミングで撮像部１０２に撮影要求を送信することで、収納する衣類の画像を得ることができる。
【００８０】
なお、上記第１の実施形態では、図１の各構成のうち、処理に用いない構成を省略してもよい。例えば、第１装着装置１０から表示部１０４やマイク１０８を省略したり、第２装着装置２０から撮像部２０２を省略するなどしてもよい。すなわち、第１装着装置１０と第２装着装置２０の構成が異なっていてもよい。
【００８１】
《第２の実施形態》
次に、第２の実施形態に係る電子機器システムについて、図１１〜図１３に基づいて、詳細に説明する。図１１には、第２の実施形態に係る電子機器システム１１００の構成が示されている。電子機器システム１１００は、図１１に示すように、第１の実施形態と同様、第１装着装置１０と、第２装着装置２０と、収納庫用機器３０と、物品用機器４０と、情報処理装置５０と、を備える。なお、第１の実施形態では、収納庫用機器３０が主となり情報収集処理を行っていたが（図５、図６参照）、本第２の実施形態では、第１装着装置１０が主となり情報収集処理を行う。また、これに伴い、本第２の実施形態においては、第１装着装置１０の第２通信部１１６が情報処理装置５０の通信部５０２と無線通信を行う。なお、その他の各装置、各機器の構成等は第１の実施形態と同様となっている。
【００８２】
（情報収集処理）
次に、第１装着装置１０と収納庫用機器３０と物品用機器４０とが連携して実行する情報収集処理について説明する。図１２は、第１装着装置１０の制御部１１８が実行する処理の一例を示すフローチャートであり、図１３は、収納庫用機器３０の制御部３１０が実行する処理の一例を示すフローチャートである。なお、本処理は、第１装着装置１０を装着するユーザ（お婆さん）が衣類（洗濯物など）をタンスに収納した場合に、収納庫用機器３０が取得した衣類の収納位置の情報を、第１装着装置１０が情報処理装置５０に送信する処理である。なお、第１装着装置１０の記憶部１１２には、図１０に示すような衣類ＤＢ４６が記憶されているものとし、物品用機器４０から収納庫用機器３０に対しては、衣類情報は送信されないものとする。したがって、物品用機器４０の記憶部４０４には、図４（ａ）及び図４（ｂ）のような衣類ＤＢ４２は格納されていなくてもよいものとする。
【００８３】
図１２の処理では、まず、ステップＳ６０において、第１装着装置１０の制御部１１８は、収納庫用機器３０との近接通信が成立するまで待機する。すなわち、第１装着装置１０を装着するユーザ（お婆さん）がタンスに近づくまで待機し、近づいた段階でステップＳ６２に移行する。なお、近接通信の成立をトリガーとして、第１装着装置１０の第２通信部１１６と収納庫用機器３０の第２通信部３０６との無線通信が開始されるものとする。また、この段階では、第１の実施形態と同様、収納庫用機器３０と物品用機器４０との近接通信は成立していないものとする。
【００８４】
ステップＳ６２に移行すると、制御部１１８は、撮像部１０２による撮影を開始する。これにより、第１装着装置１０を装着するユーザ（お婆さん）が、タンスの引き出しに衣類を収納する場合において、収納する衣類を撮影することができる。次いで、ステップＳ６４では、制御部１１８は、収納庫用機器３０に対して、衣類の収納位置情報を送信するよう要求する。その後は、制御部１１８は、ステップＳ６６において、収納位置情報を受信するまで待機する。
【００８５】
なお、収納庫用機器３０の制御部３１０は、第１装着装置１０の制御部１１８において図１２の処理が行われている間に、図１３の処理を繰り返し実行している。すなわち、制御部３１０は、図１３に示すように、第１装着装置１０との近接通信が成立するまで待機し（Ｓ８０）、近接通信が成立した後（Ｓ８０：肯定）は、第１装着装置１０から衣類の収納位置情報の送信要求を受信するまで（図１２のステップＳ６４が実行されるまで）待機する（Ｓ８２）。その後、制御部３１０は、物品用機器４０との近接通信が成立するまで待機し（Ｓ８４）、近接通信が成立した段階（ユーザ（お婆さん）が、衣類を引き出しに収納した段階）で、制御部３１０は、衣類がタンスのどの引き出しに収納されたかの収納位置情報を取得する（Ｓ８６）。なお、制御部３１０は、複数の引き出し３２４それぞれに設けられた第１通信部３０４のうち、物品用機器４０と近接通信が成立した第１通信部３０４を特定することで、どの引き出し３２４に衣類が収納されたかを特定する。その後、制御部３１０は、取得した収納位置情報を、第２通信部３０６を用いて第１装着装置１０に送信する（Ｓ８８）。
【００８６】
図１２に戻り、制御部１１８は、収納庫用機器３０から収納位置情報を第２通信部１１６で受信すると（Ｓ６６：肯定）、ステップＳ６８に移行する。なお、制御部１１８は、ステップＳ６４の処理から所定時間（タイムアウトを示す時間であり、例えば１５秒）が経過するまでに、収納庫用機器３０から収納位置情報を受信できない場合には、表示部１０４やスピーカー１１０を用いて、受信できない旨を報知するようにしてもよい。
【００８７】
ステップＳ６８に移行すると、制御部１１８は、収納庫用機器３０から収納位置情報を受信したタイミングにおいて撮像部１０２で撮影された画像データに基づき衣類情報を取得する。この場合、制御部１１８は、撮影された画像データを衣類ＤＢ４６（図１０参照）に記憶されている画像データと比較することで、ユーザ（お婆さん）が収納しようとしている衣類を特定し、衣類ＤＢ４６から衣類情報を取得する。
【００８８】
次いで、ステップＳ７０では、制御部１１８は、ステップＳ６８で取得された衣類情報とステップＳ６６で受信した収納位置情報に、衣類の画像データを関連付けた情報を記憶部１１２（収納ＤＢ４４（図８参照））に記憶する。
【００８９】
次いで、ステップＳ７２では、制御部１１８は、収納庫用機器３０との近接通信が成立し続けているか否かを判断する。収納庫用機器３０との近接通信が成立し続けている場合は、別の衣類をタンスに収納する可能性があるため、ステップＳ６４に戻る。
【００９０】
一方、収納庫用機器３０との近接通信が成立しなくなった場合（ステップＳ７２：否定）、衣類の収納が終了したため、ステップＳ７４に移行し、制御部１１８は、記憶部１１２に記憶した収納ＤＢ４４の情報（衣類情報、収納位置情報、画像データ）を、第２通信部１１６を用いて情報処理装置５０に送信する。情報処理装置５０の制御部５０６は、第１装着装置１０から受信した収納ＤＢ４４の情報を記憶部５０４に蓄積する。これにより、どの衣類がどこのタンスのどの引き出しに収納されているかの情報が記憶部５０４に記憶される。なお、記憶部５０４の情報の更新方法については、上記第１の実施形態と同様である。
【００９１】
また、本第２の実施形態においては、第２装着装置２０と情報処理装置５０とが連携して情報利用処理を実行するが、その処理内容は、上記第１の実施形態と同様である（図９参照）。
【００９２】
以上詳細に説明したように、本第２の実施形態によれば、第１装着装置１０の制御部１１８は、撮像部１０２が撮影した画像データを用いて衣類情報を取得する（Ｓ６８）ことで衣類を認識し、当該衣類がタンスのどの引き出しに収納されたかの収納位置情報を収納庫用機器３０の第１通信部３０４を用いて取得する（Ｓ６６、Ｓ８６）。そして、制御部１１８は、当該収納位置情報を第２通信部１１６を用いて情報処理装置５０に送信する（Ｓ７４）。これにより、ユーザ（お婆さん）が特別な操作を行わなくても、制御部１１８は、ユーザ（お婆さん）による衣類の収納位置情報や衣類情報を、情報処理装置５０に送信することができる。したがって、情報処理装置５０では、衣類が収納された位置に関する情報を簡易に収集することが可能となる。
【００９３】
また、本第２の実施形態では、衣類情報を取得するために利用した画像データを撮影する撮像部１０２が、衣類の収納を行うユーザ（お婆さん）が装着する第１装着装置１０に設けられている。これにより、撮像部を収納庫（タンス）それぞれに設けなくても、収納する衣類の画像を取得できるので、コストダウンを図ることができる。
【００９４】
また、本第２の実施形態では、第１装着装置１０の撮像部１０２は、第１通信部１１４による近接通信の開始に応じて撮影を開始するので、無駄な撮影を抑制することができ、第１装着装置１０の不図示のバッテリーの消費を抑制することができる。なお、図１２では図示していないが、ステップＳ７２の判断が否定された段階で、撮像部１０２による撮影を終了するようにすればよい。
【００９５】
また、本第２の実施形態では、第１装着装置１０の制御部１１８は、画像データと衣類ＤＢ４６とを用いて、対象（男性用、女性用）やサイズなどの衣類の情報を取得することで、衣類の認識をしている。これにより、衣類の詳細な情報が得られるため、第２装着装置２０を装着するユーザ（お爺さん）に対して、探している衣類の特定をサポートすることができる。
【００９６】
なお、上記第２の実施形態では、制御部１１８は、撮像部１０２が撮影した画像データを用いて衣類情報を取得することで衣類の認識を行う場合について説明したが、これに限られるものではない。例えば、収納庫用機器３０の撮像部３０２が撮影した撮像データを用いることとしてもよい。この場合、撮像部３０２は、第１通信部１１４、３０４間の近接通信の開始に応じて撮影を開始するようにしてもよい。また、収納庫用機器３０の第１通信部３０４が物品用機器４０から衣類情報を取得する場合には、取得された衣類情報を収納庫用機器３０から受信してもよい。更に、第１装着装置１０の第１通信部１１４が物品用機器４０の近接通信部４０２と通信できる場合には、第１通信部１１４を介して物品用機器４０から衣類情報を取得してもよい。
【００９７】
なお、上記第２の実施形態では、制御部１１８は、衣類の収納位置情報を、撮像部１０２や撮像部３０２の撮像データから取得してもよい。
【００９８】
また、上記第２の実施形態では、制御部１１８は、収納Ｄ４４の情報を第２装着装置２０に直接送信してもよいし、介護士の携帯端末や介護ロボットに衣類の収納情報を送信するようにしてもよい。また、制御部１１８は、第１通信部１１４を用いて収納ＤＢ４４の情報を他の装置に送信してもよい。
【００９９】
なお、上記第１、第２の実施形態では、図３（ｂ）に示すように、収納庫用機器３０の第１通信部３０４が引き出し３２４の底部に設けられている場合について説明したが、これに限られるものではない。例えば、本体部３２２の各引き出し３２４近傍に第１通信部３０４を設けることとしてもよい。
【０１００】
なお、上記第１、第２の実施形態では、第１装着装置１０及び収納庫用機器３０に人体通信部を設け、この人体通信部の通信結果に基づいて、衣類がどの引き出しに収納されたかを制御部１１８又は３１０が判断するようにしてもよい。例えば、第１装着装置１０を装着するユーザ（お婆さん）は、衣類の収納にあたりノブ３２６（図３（ａ）及び図３（ｂ）参照）に触れて引き出し３２４を引っ張る。このため、ノブ３２６に人体通信部を設ければ、制御部１１８又は３１０は、人体通信結果に基づいて、ユーザ（お婆さん）が衣類を収納している引出し３２４を特定することができる。なお、人体通信を用いる場合は、人体に微弱な電流を流して、当該電流を変調して情報を伝達する電流方式、人体の表面に誘起する電界を変調して情報を伝達する電界方式のいずれの方式を用いてもよく、その他の人体通信方式を用いてもよい。
【０１０１】
なお、上記第１、第２の実施形態においては、第１装着装置１０及び第２装着装置２０として、ユーザの顔に装着する眼鏡型の端末以外のウエアラブル機器を採用してもよい。
【０１０２】
なお、上記第１、第２の実施形態においては、引き出しに収納されている衣類に備わる物品用機器４０の近接通信部４０２と第１通信部３０４を介した近接通信を定期的に行うことで、引き出しに収納されている衣類の情報を定期的に取得してもよい。これにより、衣類が引き出しから取り出され、ユーザによって着用されたとしても、情報処理装置５０の記憶部５０４の情報を更新することが可能となる。
【０１０３】
なお、上記第１、第２の実施形態においては、収納庫用機器３０が設けられた収納庫（タンス等）の位置情報（家の中の配置情報）が、第１装着装置１０、第２装着装置２０、情報処理装置５０の少なくとも１つに記憶されていてもよい。このようなレイアウト情報は、画像データとして記憶されていてもよく、第２装着装置２０の制御部２１８は、表示部２０４に衣類の収納位置情報を表示する際に、レイアウト情報を用いて分かり易く表示するようにしてもよい。なお、レイアウト情報は、第１装着装置１０及び第２装着装置２０で撮影された画像と第１装着装置１０及び第２装着装置２０に設けられたジャイロセンサ（不図示）などを用いて作成すればよい。
【０１０４】
《第３の実施形態》
次に、第３の実施形態に係る電子機器システムについて、図１４〜図１９に基づいて、詳細に説明する。図１４には、第３の実施形態に係る電子機器システム１２００の構成が示されている。電子機器システム１２００は、図１４に示すように、第１装着装置１０’と、第２装着装置２０’と、収納庫用機器３０’と、物品用機器４０’と、情報処理装置５０’と、を備える。本実施形態の電子機器システム１２００は、第１装着装置１０’を装着するユーザ（例えばお婆さん）が商品を購入した位置の情報を、第２装着装置２０’を装着するユーザ（例えばお爺さん）に提供するためのシステムである。
【０１０５】
（第１装着装置１０’及び第２装着装置２０’）
第１装着装置１０’及び第２装着装置２０’は、第１、第２の実施形態の第１装着装置１０及び第２装着装置２０と同一の構成の他、位置検出部１２０、２２０を備えている。位置検出部１２０、２２０は、例えばＧＰＳ（Global Positioning System）センサを有しており、第１装着装置１０’及び第２装着装置２０’の位置情報（例えば緯度、経度）を検出し、制御部１１８、２１８に送信する。なお、位置検出部１２０、２２０は、例えば、複数のＷｉ−Ｆｉ基地局との通信状態から位置を検出してもよいし、その他の方法により位置を検出してもよい。
【０１０６】
（収納庫用機器３０’）
収納庫用機器３０’は、第１、第２の実施形態の収納庫用機器３０と同一でもよいが、図１４と図１を比較すると分かるように、撮像部を省略している。本第３の実施形態では、収納庫用機器３０’は、スーパーマーケットなどで利用される買い物かごに設けられているものとする。
【０１０７】
（物品用機器４０’）
物品用機器４０’は、第１、第２の実施形態の物品用機器４０と同一の構成を有する。本第３の実施形態では、物品用機器４０’は、スーパーマーケットなどの店舗に陳列された商品（例えば、缶詰、レトルト食品、お惣菜など）に設けられているものとする。なお、記憶部４０４は、物品用機器４０’が設けられている商品に関する情報を記憶する。
【０１０８】
図１５（ａ）及び図１５（ｂ）には、記憶部４０４に記憶された情報（商品ＤＢ４８）のデータ構造の一例が示されている。図１５（ａ）及び図１５（ｂ）に示すように、商品ＤＢ４８は、商品名、原材料、製造元又は原産国、輸入元などのフィールドを有している。商品名のフィールドには、商品の名称（紅鮭水煮、カレーなど）が格納される。原材料のフィールドには、使用されている材料の名称（鮭、豚肉など）が格納される。製造元又は原産国のフィールドには、商品を製造した会社又は国の名称（○○国、△△株式会社など）が格納される。輸入元のフィールドには、商品が外国から輸入したものである場合には輸入した会社の名称（○○株式会社など）が格納される。なお、商品ＤＢ４８の各データは、商品の販売前に商品の製造元や輸入元などが入力すればよい。
【０１０９】
（情報処理装置５０’）
情報処理装置５０’は、第１、第２の実施形態の情報処理装置５０と同一の構成を有する。本第３の実施形態では、情報処理装置５０’は、スーパーマーケットなどの店舗のレジ（代金を支払う場所）に設置されたキャッシュレジスター又は店舗の事務室等に設けられたサーバであるものとする。なお、本第３の実施形態の電子機器システム１２００においては、情報処理装置５０’を省略してもよい。
【０１１０】
（情報収集処理）
次に、第１装着装置１０’と収納庫用機器３０’と物品用機器４０’とが連携して実行する情報収集処理について説明する。図１６及び図１７は、第１装着装置１０’の制御部１１８が実行する処理の一例を示すフローチャートである。なお、本処理は、ユーザ（お婆さん）が装着する第１装着装置１０’が、スーパーマーケットなどの店舗で商品の位置情報を取得し、ユーザ（お爺さん）が装着する第２装着装置２０’に送信する処理である。
【０１１１】
図１６の処理では、まず、ステップＳ１００において、第１装着装置１０’の制御部１１８は、第１装着装置１０’を装着するユーザ（お婆さん）が、スーパーマーケットなどの店舗に入店するまで待機する。この場合、制御部１１８は、位置検出部１２０から取得した位置情報（緯度、経度）と、記憶部１１２に予め記憶された地図情報（店舗の位置情報）と、を比較することで、第１装着装置１０’を装着するユーザが店舗に入店したか否かを判断する。制御部１１８は、ユーザ（お婆さん）が店舗に入店した段階で、ステップＳ１０２に移行する。
【０１１２】
ステップＳ１０２に移行すると、制御部１１８は、第１装着装置１０’を装着するユーザ（お婆さん）が店舗に入店してから所定時間（例えば数十分）が経過したか否かを判断する。このステップＳ１０２の判断が否定された場合は、ステップＳ１０４に移行し、制御部１１８は、第１装着装置１０’を装着するユーザ（お婆さん）が、店舗に陳列されている商品を手に持ったか否かを判断する。ユーザ（お婆さん）が商品を手にすると、第１装着装置１０’と物品用機器４０’との距離が近づいて近接通信が成立するので、制御部１１８は、ステップＳ１０４において、物品用機器４０’との近接通信が成立したか否かに基づいて、ユーザ（お婆さん）が商品を手に持ったか否かを判断する。なお、ステップＳ１０４の判断を可能にするため、第１通信部１１４と近接通信部４０２の通信距離は２０ｃｍ〜５０ｃｍ程度に設定しておくことが好ましい。
【０１１３】
ユーザ（お婆さん）が商品を手に持っていない場合には、ステップＳ１０４の判断は否定されて、ステップＳ１０２に戻る。そして、所定時間を経過するまで、ステップＳ１０２、Ｓ１０４は繰り返される。なお、所定時間が経過した場合には、ステップＳ１０２の判断は肯定されて、ステップＳ１０６に移行する。ステップＳ１０６に移行すると、制御部１１８は、位置検出部１２０から取得した位置情報に基づいて、ユーザ（お婆さん）が店舗内にまだ居るか否かを判断する。ユーザ（お婆さん）が店舗内に居ない場合には、ステップＳ１０６の判断は否定されて、図１６、図１７の全処理を終了する。一方、ユーザ（お婆さん）が店舗内に居る場合には、ステップＳ１０６の判断は肯定されて、ステップＳ１０４に戻る。なお、ステップＳ１０２〜Ｓ１０６の判断により、第１装着装置１０’を装着するユーザが店舗に入店したものの、何も購入しないで店舗から出て行った場合を判断することができる。
【０１１４】
ステップＳ１０４が肯定された場合、すなわち、所定時間内に第１通信部１１４と近接通信部４０２との間の近接通信が成立すると、ステップＳ１０８に移行し、制御部１１８は、第１装着装置１０’を装着するユーザが商品を手に持った場所の位置情報（緯度、経度）を位置検出部１２０から取得する。
【０１１５】
次いで、ステップＳ１１０では、制御部１１８は、第１装着装置１０’を装着するユーザが手に持った商品を撮影部１０２により撮影し、商品の画像データを取得する。次いで、ステップＳ１１２では、制御部１１８は、物品用機器４０’（制御部４０６）に対して、記憶部４０４に記憶されている商品ＤＢ４８の情報を送信するよう要求する。その後は、ステップＳ１１４において、制御部１１８は、物品用機器４０’から商品ＤＢ４８の情報を受信するまで待機する。なお、物品用機器４０’の制御部４０６は、送信要求を受信した段階で、近接通信部４０２を用いて商品ＤＢ４８の情報を第１装着装置１０’に送信する。
【０１１６】
なお、制御部１１８は、ステップＳ１１２の処理から所定時間（タイムアウトを示す時間であり、例えば３秒）が経過するまでに、物品用機器４０’から商品ＤＢ４８の情報を受信できない場合には、表示部１０４やスピーカー１１０を用いて、受信できない旨をユーザ（お婆さん）に報知するようにしてもよい。
【０１１７】
物品用機器４０’から商品ＤＢ４８の情報を受信すると（ステップＳ１１４：肯定）、図１７のステップＳ１１６に移行し、制御部１１８は、取得した位置情報、商品ＤＢ４８の情報、及び画像データを関連付けて記憶部１１２に記憶する。図１８には、記憶部１１２に記憶される情報（購入ＤＢ４９）のデータ構造の一例が示されている。図１８に示すように、購入ＤＢ４９は、商品情報、購入場所情報、及び画像データなどのフィールドを有している。商品情報のフィールドの中には、商品名、原材料、製造元又は原産国、輸入元などのフィールドが含まれる。商品名、原材料、製造元又は原産国、輸入元のフィールドには、物品用機器４０’から受信した情報が格納される。また、購入場所情報のフィールドの中には、店舗情報と詳細情報などのフィールドが含まれる。店舗情報のフィールドには、商品を購入した店舗の情報（例えば店舗名など）が格納される。詳細情報のフィールドには、図１６のステップＳ１０８で取得した位置情報が格納される。画像データのフィールドには、商品の画像データが格納される。
【０１１８】
次いで、ステップＳ１１８では、制御部１１８は、ユーザ（お婆さん）が、手に持った商品を買い物かごに入れたか否かを判断する。ユーザ（お婆さん）が商品を買い物かごに入れると、収納庫用機器３０’と物品用機器４０’との距離が近づいて近接通信が成立する。したがって、ステップＳ１１８では、第１通信部３０４と近接通信部４０２との間の近接通信が成立した場合に、判断が肯定され、成立していない場合に、判断が否定される。
【０１１９】
ステップＳ１１８の判断が否定された場合、ステップＳ１２０に移行し、制御部１１８は、ユーザ（お婆さん）が商品を手に持ってから所定時間が経過したか否かを判断する。所定時間が経過していない場合は、ステップＳ１２０の判断は否定されて、ステップＳ１１８に戻る。一方、所定時間が経過した場合には、ステップＳ１２０の判断は肯定され、ステップＳ１２２において、制御部１１８は、記憶部１１２に記憶した情報（位置情報、商品ＤＢ４８の情報、及び画像データ）を削除する。これにより、購入ＤＢ４９から、実際に購入しない商品の情報を削除することができ、記憶部１１２の記憶領域を効率的に使用することが可能となる。ステップＳ１２２の後は、ステップＳ１２４に移行する。なお、制御部１１８は、削除した情報を情報処理装置５０に送信してもよい。この場合、ユーザが手に持ったが、購入には至らなかった商品の情報を蓄積できるので、当該情報を今後の販売戦略等に活かすことが可能となる。
【０１２０】
一方、ステップＳ１１８の判断が肯定された場合、ステップＳ１２４に移行し、制御部１１８は、ユーザ（お婆さん）がレジ（代金を支払う場所）を通過したか否かを判断する。ユーザ（お婆さん）がレジを通過したか否かは、位置検出部１２０が取得する位置情報に基づいて判断すればよい。
【０１２１】
ユーザ（お婆さん）がレジを通過していない場合（ステップＳ１２４：否定）には、ステップＳ１２６に移行し、制御部１１８は、ユーザ（お婆さん）が別の商品を手に持ったか否かを判断する。ユーザ（お婆さん）が新たに商品を手にした場合（ステップＳ１２６：肯定）には、ステップＳ１０８に戻る。一方、ユーザ（お婆さん）が新たに商品を手にしていない場合（ステップＳ１２６：否定）には、ステップＳ１２４に戻る。
【０１２２】
これに対し、ユーザ（お婆さん）がレジを通過した場合（ステップＳ１２４：肯定）には、ステップＳ１２８に移行し、制御部１１８は、記憶部１１２に記憶されている購入ＤＢ４９の情報（商品情報、購入場所情報、画像データ）を、第２通信部１１６を用いて、第２装着装置２０’に送信する。
【０１２３】
ここで、第２装着装置２０’の制御部２１８は、第１装着装置１０’から送信されて第２通信部２１６で受信した購入ＤＢ４９の情報を記憶部２１２に蓄積する。これにより、ユーザ（お婆さん）が購入した商品があった場所の位置情報が記憶部２１２に記憶されることになる。
【０１２４】
（情報利用処理）
次に、第２装着装置２０’が実行する情報利用処理について説明する。図１９は、第２装着装置２０’の制御部２１８が実行する処理の一例を示すフローチャートである。なお、本処理は、第２装着装置２０’を装着するユーザ（お爺さん）が商品を売っている場所を知りたい場合に、ユーザ（お爺さん）に対して商品が売っている場所の位置情報を報知するための処理である。
【０１２５】
図１９の処理では、まず、ステップＳ１４０において、第２装着装置２０’の制御部２１８は、ユーザ（お爺さん）から、売っている場所を知りたい商品（例えば、レトルト食品や冷凍食品）の情報を取得するまで待機している。マイク２０８にユーザの“○○○株式会社のカレーはどこに売っているの？”という音声が入力された場合や、操作部２０６から“○○○株式会社のカレー”という情報が入力された場合に、ステップＳ１４２に移行する。なお、ユーザ（お爺さん）から“いつものカレーが欲しい”、“この前食べたカレーが食べたい”という音声がマイク２０８に入力された場合には、制御部２１８は、カレーの購入履歴からいつものカレーを判別するようにすればよく、カレーの候補が複数ある場合には表示部２０４に複数のカレーの画像を表示してユーザ（お爺さん）に選択してもらうようにすればいい。
【０１２６】
ステップＳ１４２では、制御部２１８は、商品が売っている場所の位置情報（購入場所情報）を記憶部２１２から取得する。次いで、ステップＳ１４４では、制御部２１８は、取得した位置情報を、表示部２０４やスピーカー２１０を用いて報知する。これにより、ユーザ（お爺さん）は、商品を売っている場所を簡易に知ることが可能となる。
【０１２７】
なお、制御部２１８は、複数の購入場所情報の候補が存在する場合には、全ての候補を出力してもよいし、ユーザの情報（例えば住んでいる場所や現在の場所）等に基づいて、候補を絞って送信するようにしてもよい。
【０１２８】
以上詳細に説明したように、本第３の実施形態によれば、第１装着装置１０’の制御部１１８は、物品（商品）との近接通信に応じて当該商品を撮影し（Ｓ１１０）、撮影した画像データと位置検出部１２０が検出した位置情報とを、第２通信部１１６を用いて第２装着装置２０’に送信する（Ｓ１２８）。これにより、制御部１１８は、第１装着装置１０’を装着するユーザが手に取った商品の画像データと商品が売られていた場所の位置情報とを第２装着装置２０’に送信することができる。このため、第２装着装置２０’を装着するユーザは、商品が売られている位置を簡易に知ることができる。
【０１２９】
また、本第３の実施形態では、制御部１１８は、商品との近接通信の成立に応じて位置情報を検出するので、商品が置かれていた場所の正確な位置情報を得ることができる。
【０１３０】
また、本第３の実施形態では、制御部１１８は、商品との近接通信によって当該商品に関する情報を受信するので、手にした商品に関する情報を適切なタイミングで得ることができる。
【０１３１】
また、本第３の実施形態では、商品の画像データと位置情報とに加えて当該商品に関する情報を第２装着装置２０’に送信する。これにより、第２装着装置２０’を装着するユーザは、欲しい商品の名称などをマイク２０８に入力することで、当該商品が売られていた場所の位置情報を知ることができる。
【０１３２】
なお、上記第３の実施形態においては、第１装着装置１０’の制御部１１８は、物品用機器４０’との近接通信によって、商品情報を取得する場合を例に示したが、近接通信の代わりに人体通信を用いてもよい。また、制御部１１８は、物品用機器４０’から商品情報を取得する場合に限らず、例えばユーザが商品を手に持った際に当該商品を撮影して画像データを取得し、当該画像データから商品を特定するなどしてもよい。なお、画像データから商品を特定する処理は、情報処理装置５０’等が行ってもよい。
【０１３３】
なお、上記第３の実施形態においては、第１装着装置１０’の制御部１１８は、同一カテゴリーの商品（例えばカレーなど）について、過去の購入履歴から購入頻度の順位付けをしたデータベースを作成し、当該データベースを第２装着装置２０’に送信するようにしてもよい。これにより、第２装着装置２０’の制御部２１８は、第２装着装置２０’を装着するユーザに商品の購入場所を提示した後、ユーザから商品が売り切れていることが音声などで入力された場合に、順位付けの順に商品の購入場所を提示することが可能となる。これにより、第２装着装置２０’を装着するユーザは、商品が売り切れの場合に、代替品についての購入場所情報を得ることができる。なお、購入頻度の順位付けは、第２装着装置２０’の制御部２１８が行ってもよい。
【０１３４】
なお、上記第３の実施形態においては、第１装着装置１０’の制御部１１８は、第２通信部１１６を用いた無線通信によって、商品の画像データ等を第２装着装置２０’に送信する場合について説明したが、これに限られるものではない。例えば、第１装着装置１０’と第２装着装置２０’とが近くに存在している場合には、近接通信により、画像データ等を送信してもよい。また、制御部１１８は、例えば住居内に設置されたホームサーバ等に商品の画像データ等を送信し、ホームサーバ等から第２装着装置２０’に画像データ等を送信するようにしてもよい。
【０１３５】
なお、上記第３の実施形態では、図１７のステップＳ１１８〜Ｓ１２２を省略してもよい。この場合、ユーザ（お婆さん）が手にした全商品が売られていた場所の位置情報等が第２装着装置２０’の記憶部２１２に記憶されることになる。
【０１３６】
なお、上記第１〜第３の実施形態における処理機能は、コンピュータによって実現することができる。その場合、処理装置（ＣＰＵ）が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（ただし、搬送波は除く）に記録しておくことができる。
【０１３７】
プログラムを流通させる場合には、例えば、そのプログラムが記録されたＤＶＤ（Digital Versatile Disc）、ＣＤ−ＲＯＭ（Compact Disc Read Only Memory）などの可搬型記録媒体の形態で販売される。また、プログラムをサーバコンピュータの記憶装置に格納しておき、ネットワークを介して、サーバコンピュータから他のコンピュータにそのプログラムを転送することもできる。
【０１３８】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０１３９】
上述した各実施形態は本発明の好適な実施の例であり、第１の実施形態から第３の実施形態を適宜組み合わせることができる。但し、これに限定されるものではなく、本発明の要旨を逸脱しない範囲内において種々変形実施可能である。
【符号の説明】
【０１４０】
１０、１０’  第１装着装置
２０、２０’  第２装着装置
３０、３０’  収納庫用機器
４０、４０’  物品用機器
４２  衣類ＤＢ
４４  収納ＤＢ
４６  衣類ＤＢ
４８  商品ＤＢ
４９  購入ＤＢ
５０、５０’  情報処理装置
１０２、２０２  撮像部
１１２、２１２  記憶部
１１４、２１４  第１通信部
１１６、２１６  第２通信部
１１８、２１８  制御部
１２０、２２０  位置検出部
３０２  撮像部
３０４  第１通信部
３０６  第２通信部
３０８  記憶部
３１０  制御部
４０２  近接通信部
４０４  記憶部
４０６  制御部
５０２  通信部
５０４  記憶部
５０６  制御部
１０００、１１００、１２００  電子機器システム
【図１】
2016118926.tif 000003
【図２】
2016118926.tif 000004
【図３】
2016118926.tif 000005
【図４】
2016118926.tif 000006
【図５】
2016118926.tif 000007
【図６】
2016118926.tif 000008
【図７】
2016118926.tif 000009
【図８】
2016118926.tif 000010
【図９】
2016118926.tif 000011
【図１０】
2016118926.tif 000012
【図１１】
2016118926.tif 000013
【図１２】
2016118926.tif 000014
【図１３】
2016118926.tif 000015
【図１４】
2016118926.tif 000016
【図１５】
2016118926.tif 000017
【図１６】
2016118926.tif 000018
【図１７】
2016118926.tif 000019
【図１８】
2016118926.tif 000020
【図１９】
2016118926.tif 000021